(57)【要約】【課題】放熱性に優れ、他の絶縁電線との結束及び電線保護の機能の付加に要する作業工数及び部品点数を軽減でき絶縁電線及びそのような絶縁電線を含むワイヤハーネスを提供すること。【解決手段】ワイヤハーネス１は、最も幅の広い樋状ケーブル１０と丸ケーブル９と結束材８とを備える。樋状ケーブル１０の湾曲絶縁被覆３は、複数の導体２を内包し、複数の導体２を幅方向において湾曲する湾曲面Ｆ１に沿って並列する状態で保持する。湾曲絶縁被覆３の凹側被覆部３１は、幅方向において湾曲する凹面を形成し、並列した複数の導体２の一方の側を第１の厚みで覆う。湾曲絶縁被覆３の凸側被覆部３２は、幅方向において湾曲する凸面を形成し、並列した複数の導体２の他方の側を第１の厚みよりも大きな第２の厚みで覆う。結束材８は、丸ケーブル９が凹側被覆部３１に対向する状態で樋状ケーブル１０と丸ケーブル９とを束ねる。【選択図】図３
2013037801.tif 000002
【特許請求の範囲】
【請求項１】
第１の方向に沿う線状の複数の導体と、
絶縁材料からなり、複数の前記導体を内包するとともに、複数の前記導体をそれらが前記第１方向に直交する第２方向において湾曲する湾曲面に沿って並列する状態で保持する湾曲絶縁被覆と、を備え、
前記湾曲絶縁被覆は、
前記第２方向において湾曲する凹面をなす第１の表面を形成し、並列した複数の前記導体の一方の側を第１の厚みで覆う凹側被覆部と、
前記第１の表面に対し反対側で前記第２方向において湾曲する凸面をなす第２の表面を形成し、並列した複数の前記導体の他方の側を前記第１の厚みよりも大きな第２の厚みで覆う凸側被覆部と、を有することを特徴とする絶縁電線。
【請求項２】
前記凹側被覆部の前記第１の表面及び前記凸側被覆部の前記第２の表面の各々に、前記第１方向に沿う複数の溝が形成されている、請求項１に記載の絶縁電線。
【請求項３】
第１の方向に沿う複数の絶縁電線と、
複数の前記絶縁電線を束ねた結束材と、を備えるワイヤハーネスであって、
複数の前記絶縁電線は、最も幅の広い第１の絶縁電線とそれ以外の第２の絶縁電線とを含み、
前記第１の絶縁電線は、
前記第１の方向に沿う線状の複数の導体と、
絶縁材料からなり、複数の前記導体を内包するとともに、複数の前記導体をそれらが前記第１方向に直交する第２方向において湾曲する湾曲面に沿って並列する状態で保持する湾曲絶縁被覆と、を備え、
前記湾曲絶縁被覆は、
前記第２方向において湾曲する凹面をなす第１の表面を形成し、並列した複数の前記導体の一方の側を第１の厚みで覆う凹側被覆部と、
前記第１の表面に対し反対側で前記第２方向において湾曲する凸面をなす第２の表面を形成し、並列した複数の前記導体の他方の側を前記第１の厚みよりも大きい第２の厚みで覆う凸側被覆部と、を有し、
前記結束材は、
前記第２の絶縁電線が前記第１の絶縁電線における前記凹側被覆部に対向する状態で前記第１の絶縁電線と前記第２の絶縁電線とを束ねていることを特徴とするワイヤハーネス。
【請求項４】
複数の前記絶縁電線は、２つの前記第１の絶縁電線と１つ以上の前記第２の絶縁電線とを含み、
前記結束材は、
前記第２の絶縁電線が２つの前記第１の絶縁電線各々の前記凹側被覆部に挟み込まれる状態で前記第１の絶縁電線と前記第２の絶縁電線とを束ねている、請求項３に記載のワイヤハーネス。
【発明の詳細な説明】
【技術分野】
【０００１】
本発明は、絶縁電線及びそれを備えたワイヤハーネスに関する。
【背景技術】
【０００２】
ワイヤハーネスにおいて、ごく一般的に採用される絶縁電線は、線状の導体からなる１本の芯線と、絶縁材料からなり１本の芯線を内包する絶縁被覆とを備え、概ね円柱状に形成されている。以下、そのような絶縁電線のことを丸ケーブルと称する。
【０００３】
一方、車両に搭載されるワイヤハーネスにおいて、特許文献１に示されるように、フラットケーブルが採用される場合がある。フラットケーブルは、線状の複数の導体と、絶縁材料からなり、複数の導体を内包するとともに、複数の導体をそれらが平面に沿って並列する状態で保持する絶縁被覆とを備えた絶縁電線である。
【０００４】
フラットケーブルは、丸ケーブルに比べ、導体の総断面積に対する総表面積の比が大きく放熱性に優れており、通電電流を大きくできる。そのため、電気自動車及びハイブリッド自動車などの電動車両においては、電線に流れる電流の増大に伴い、電線の過剰な発熱を防止するため、フラットケーブルの採用機会が増えつつある。
【０００５】
従って、ワイヤハーネスにおいて、粘着テープ又は結束ベルトなどの結束材によって結束される複数の絶縁電線の中に、フラットケーブルと丸ケーブルとが混在する状況が増えつつある。
【０００６】
一方、ワイヤハーネスにおいて、絶縁電線は、コルゲートチューブなどの保護具によって保護されることが多い。また、特許文献２には、断面が円弧状に形成された板状の保護具が示されている。コルゲートチューブ及び特許文献２に示される保護具は、粘着テープ又は結束ベルトなどの結束材により、絶縁電線に対して固定される。
【先行技術文献】
【特許文献】
【０００７】
【特許文献１】特開２０１１−１４４４９号公報
【特許文献２】特開２００９−２７４５３５号公報
【発明の概要】
【発明が解決しようとする課題】
【０００８】
しかしながら、フラットケーブルと丸ケーブルとが束ねられる場合、丸ケーブルがフラットケーブルの平坦な表面上を滑りやすく、フラットケーブルと丸ケーブルとの位置関係が安定しない。そのため、従来のフラットケーブルは、丸ケーブルとの結束に要する作業が煩雑であるという問題点を有している。
【０００９】
さらに、束ねられるフラットケーブル及び丸ケーブルの保護が必要な場合、フラットケーブル及び丸ケーブルを覆う保護具及びその保護具を固定する作業が別途必要となる。そのため、従来のワイヤハーネスは、絶縁電線の保護に要する部品点数及び作業工数が大きいという問題点を有している。
【００１０】
本発明は、放熱性に優れ、丸ケーブルなどの他の絶縁電線との結束及び電線保護の機能の付加に要する作業工数及び部品点数を軽減できる絶縁電線及びそのような絶縁電線を含むワイヤハーネスを提供することを目的とする。
【課題を解決するための手段】
【００１１】
本発明に係る絶縁電線は、以下に示される各構成要素を備える。
（１）第１の構成要素は、第１の方向に沿う線状の複数の導体である。
（２）第２の構成要素は、絶縁材料からなり、複数の前記導体を内包するとともに、複数の前記導体をそれらが前記第１方向に直交する第２方向において湾曲する湾曲面に沿って並列する状態で保持する湾曲絶縁被覆である。この湾曲絶縁被覆は、以下に示される凹側被覆部及び凸側被覆部を有する。前記凹側被覆部は、前記第２方向において湾曲する凹面をなす第１の表面を形成し、並列した複数の前記導体の一方の側を第１の厚みで覆う部分である。また、前記凸側被覆部は、前記第１の表面に対し反対側で前記第２方向において湾曲する凸面をなす第２の表面を形成し、並列した複数の前記導体の他方の側を前記第１の厚みよりも大きな第２の厚みで覆う部分である。
【００１２】
また、本発明に係る絶縁電線において、前記凹側被覆部の前記第１の表面及び前記凸側被覆部の前記第２の表面の各々に、前記第１方向に沿う複数の溝が形成されていることが考えられる。
【００１３】
また、本発明は、以上に示された本発明に係る絶縁電線を備えたワイヤハーネスの発明として捉えられることもできる。即ち、本発明に係るワイヤハーネスは、第１の方向に沿う複数の絶縁電線と、複数の前記絶縁電線を束ねた結束材と、を備えるワイヤハーネスである。そして、複数の前記絶縁電線は、最も幅の広い第１の絶縁電線とそれ以外の第２の絶縁電線とを含む。ここで、前記第１の絶縁電線は、前述した本発明に係る絶縁電線である。また、前記結束材は、前記第２の絶縁電線が前記第１の絶縁電線における前記凹側被覆部に対向する状態で前記第１の絶縁電線と前記第２の絶縁電線とを束ねている。
【００１４】
また、本発明に係るワイヤハーネスにおいて、複数の前記絶縁電線が、２つの前記第１の絶縁電線と１つ以上の前記第２の絶縁電線とを含むことが考えられる。この場合、前記結束材は、前記第２の絶縁電線が２つの前記第１の絶縁電線各々の前記凹側被覆部に挟み込まれる状態で前記第１の絶縁電線と前記第２の絶縁電線とを束ねている。
【発明の効果】
【００１５】
以下の説明において、本発明に係る絶縁電線のことを第１の絶縁電線と称する。また、粘着テープ又は結束ベルトなどの結束材によって本発明に係る絶縁電線と一緒に結束される丸ケーブルなどの他の絶縁電線のことを第２の絶縁電線と称する。
【００１６】
第１の絶縁電線において、凹側被覆部の表面（第１の表面）は、幅方向において湾曲する凹面をなしている。即ち、第１の絶縁電線は樋状に形成されており、凹側被覆部は、第２の絶縁電線の配線空間となる溝を形成している。
【００１７】
従って、第１の絶縁電線よりも幅の狭い第２の絶縁電線が、凹側被覆部に対向する状態、即ち、凹側被覆部が形成する溝内に配置された状態で、第１の絶縁電線と第２の絶縁電線とが束ねられた場合、第２の絶縁電線は、凹側被覆部により形成される溝（配線空間）の中に安定的に収まりやすい。そのため、本発明によれば、第１の絶縁電線と丸ケーブルなどの第２の絶縁電線との結束に要する作業が容易である。
【００１８】
さらに、結束された第１の絶縁電線及び第２の絶縁電線に外力が加わった場合でも、結束状態が乱れたり解けたりする事態が生じにくい。即ち、第１の絶縁電線と１つ以上の第２の絶縁電線全体との密着度合いが高く、複数の絶縁電線の結束状態が安定したワイヤハーネスが得られる。
【００１９】
また、第１の絶縁電線において、複数の導体は、湾曲絶縁被覆により、湾曲面に沿って並列する状態で保持されている。そのため、第１の絶縁電線は、従来のフラットケーブルと同様に、丸ケーブルよりも、導体の総断面積に対する総表面積の比が大きく放熱性に優れている。
【００２０】
また、第１の絶縁電線において、凸側被覆部は、凹側被覆部よりも大きな厚みで形成されている。即ち、凸側被覆部は、導体を電気的に絶縁するために必要な厚みで形成され、凹側被覆部は、導体を電気的に絶縁するとともに、凹側被覆部に対向して配置される第２の絶縁電線を保護するために必要な、比較的大きな厚みで形成されている。
【００２１】
従って、第１の絶縁電線よりも幅の狭い第２の絶縁電線が凹側被覆部に対向する状態で、第１の絶縁電線と第２の絶縁電線とが束ねられた場合、第１の絶縁電線の導体及び第２の絶縁電線は、厚みの大きな凸側被覆部により保護される。即ち、束ねられる第１の絶縁電線及び第２の絶縁電線の保護のために、別部材である保護具及びその保護具を固定する作業は不要である。
【００２２】
以上に示したことから、本発明によれば、放熱性に優れ、丸ケーブルなどの他の絶縁電線との結束及び電線保護の機能の付加に要する作業工数及び部品点数を軽減できる。
【００２３】
また、第１の絶縁電線において、凹側被覆部の表面（第１の表面）及び凸側被覆部の表面（第２の表面）の各々に、第１方向に沿う複数の溝が形成されていればなお好適である。この場合、湾曲絶縁被覆は、複数の溝各々の幅が僅かに伸縮することにより、幅方向において比較的大きく撓むことが可能である。従って、第１の絶縁電線は、一緒に結束される第２の絶縁電線全体の外形に応じて、凹側被覆部により形成される湾曲面（凹面）の曲率の調整が可能となる。その結果、第１の絶縁電線と第２の絶縁電線全体との密着度合いがより高まり、複数の絶縁電線の結束状態がより安定したワイヤハーネスが得られる。
【００２４】
また、本発明に係るワイヤハーネスが、２つの第１の絶縁電線を備えることも考えられる。この場合、第２の絶縁電線が２つの第１の絶縁電線各々の凹側被覆部に挟み込まれる状態で、第１の絶縁電線と第２の絶縁電線とが結束されれば、第２の絶縁電線は、対向する２つの凹側被覆部の間に形成される配線空間に安定的に収まりやすい。その結果、２つの第１の絶縁電線と１つ以上の第２の絶縁電線との結束に要する作業が容易となる。また、２つの第１の絶縁電線と１つ以上の第２の絶縁電線全体との密着度合いが高く、複数の絶縁電線の結束状態がより安定したワイヤハーネスが得られる。
【図面の簡単な説明】
【００２５】
【図１】本発明の第１実施形態に係る樋状ケーブル１０の一部の断面図を含む斜視図である。
【図２】樋状ケーブル１０の断面図である。
【図３】本発明の第１実施形態に係るワイヤハーネス１の一部の断面図を含む斜視図である。
【図４】本発明の第２実施形態に係るワイヤハーネス１Ａの一部の断面図を含む斜視図である。
【発明を実施するための形態】
【００２６】
以下、添付の図面を参照しながら、本発明の実施形態について説明する。以下の実施形態は、本発明を具体化した一例であり、本発明の技術的範囲を限定する事例ではない。
【００２７】
＜第１実施形態＞
まず、図１から図３を参照しつつ、本発明の第１実施形態に係る絶縁電線の一例である樋状ケーブル１０及び本発明の第１実施形態に係るワイヤハーネス１の構成について説明する。
【００２８】
＜樋状ケーブル＞
図１及び図２に示されるように、樋状ケーブル１０は、複数の導体２と湾曲絶縁被覆３とを備えた絶縁電線である。導体２各々は、例えば、軟銅、銅の合金、アルミニウム又はアルミニウムの合金などの金属材料からなる線状の導体である。
【００２９】
導体２は、寄り合わされた複数の線材からなる撚り線、又は１本の線材からなる単線であることが考えられる。各図に示される例では、樋状ケーブル１０は、７本の導体２を備えるが、導体２の数は、２本乃至６本、又は７本以上であることも考えられる。
【００３０】
以下の説明において、線状の導体２の長手方向を第１方向と称する。各図に記された座標軸におけるＸ軸の方向が第１方向である。導体２は、第１方向に沿う線状の導電性部材である。
【００３１】
湾曲絶縁被覆３は、絶縁材料からなり、複数の導体２を内包し、複数の導体２全体の覆う部材である。湾曲絶縁被覆３は、その内側の導体２とその外側に存在する物とを電気的に絶縁する部材であり、例えば、ポリエチレン、塩化ビニル又はポリアミド系ナイロンなどの樹脂の部材である。湾曲絶縁被覆３は、複数の導体２を内包し、複数の導体２全体を覆う。
【００３２】
なお、後述するように、湾曲絶縁被覆３は、内包する導体２と、当該樋状ケーブル１０と一緒に束ねられる他の絶縁電線とを保護する保護具としても機能する。
【００３３】
また、湾曲絶縁被覆３は、複数の導体２をそれらが第１方向に直交する第２方向において湾曲する第一湾曲面Ｆ１に沿って並列する状態で保持する部材でもある。従って、湾曲絶縁被覆３は、第一湾曲面Ｆ１に沿って湾曲した樋状に形成されている。
【００３４】
本実施形態においては、第一湾曲面Ｆ１は、半径Ｒ１の円弧面である。しかしながら、第一湾曲面Ｆ１が、楕円弧面又は円弧面以外の湾曲面などであることも考えられる。
【００３５】
また、本実施形態においては、湾曲絶縁被覆３は、複数の導体２を第一湾曲面Ｆ１に沿って一列に並列した状態で保持するが、より細い複数の導体２が、第一湾曲面Ｆ１に沿って二列以上で並列した状態で、湾曲絶縁被覆３によって保持されることも考えられる。
【００３６】
図１から図３に示される例では、複数の導体２は、隣接する導体２どうしが接して並列する状態で保持されている。しかしながら、湾曲絶縁被覆３が、複数の導体２を複数のグループに分けて絶縁し、各グループ内において導体２どうしが接する状態で保持することも考えられる。
【００３７】
なお、各図に記された座標軸におけるＹ軸の方向が第２方向である。また、各図に記された座標軸におけるＺ軸の方向は、第１方向及び第２方向に直交する方向である。即ち、第１方向（Ｘ軸方向）は、樋状ケーブル１０の長手方向であり、第２方向（Ｙ軸方向）は、樋状ケーブル１０の幅方向である。
【００３８】
より具体的には、湾曲絶縁被覆３は、凹側被覆部３１と凸側被覆部３２とを有している。凹側被覆部３１は、第２方向において湾曲する凹面をなす第一表面３１１を形成し、並列した複数の導体２の一方の側を第１の厚みＤ１で覆う部分である。
【００３９】
本実施形態においては、第一表面３１１は、半径Ｒ１よりも小さな半径Ｒ２の円弧面である第二湾曲面Ｆ２に沿って形成されている。しかしながら、第一表面３１１が沿う第二湾曲面Ｆ２が、楕円弧面又は円弧面以外の湾曲面であることも考えられる。
【００４０】
一方、凸側被覆部３２は、第一表面に対し反対側で前記第２方向において湾曲する凸面をなす第二表面３２１を形成し、並列した複数の導体２の他方の側を第２の厚Ｄ２みで覆う部分である。
【００４１】
樋状ケーブル１０の湾曲絶縁被覆３において、第２の厚みＤ２は、第１の厚みＤ１よりも大きい。より具体的には、凹側被覆部３１は、導体２を電気的に絶縁するために必要な厚み（第１の厚みＤ１）で形成されている。一方、凸側被覆部３２は、導体２を電気的に絶縁するとともに、凹側被覆部３１に対向して配置される他の絶縁電線を保護するために必要な、比較的大きな厚み（第２の厚みＤ２）で形成されている。
【００４２】
本実施形態においては、第二表面３２１は、半径Ｒ１よりも大きな半径の円弧面に沿って形成されている。しかしながら、第二表面３２１が、楕円弧面又は円弧面以外の湾曲面に沿った凸面であることも考えられる。
【００４３】
また、本実施形態においては、凹側被覆部３１の第一表面３１１には、第１方向に沿う複数の溝３１２が形成されている。同様に、凸側被覆部３２の第二表面３２１にも、第１方向に沿う複数の溝３２２が形成されている。
【００４４】
また、本実施形態においては、複数の溝３１２，３２２は、隣り合う導体２の境界線に対向する位置に形成されている。これにより、凹側被覆部３１における溝３１２が形成された部分の厚み、及び凸側被覆部３２における溝３２２が形成された部分の厚みが、他の部分よりも薄くなることが回避される。
【００４５】
図１及び図２に示される樋状ケーブル１０は、一般的なフラットケーブル及び丸ケーブルと同様に、絶縁被覆の成形用の金型であるダイスを用いた押し出し成形により製造される。但し、樋状ケーブル１０の製造に用いられるダイスの出口側の開口の形状は、図２に示される樋状ケーブル１０の断面形状に対応した形状である。
【００４６】
＜ワイヤハーネス＞
また、図３に示されるように、ワイヤハーネス１は、第１の方向に沿う１つの樋状ケーブル１０と、第１方向に沿う複数の丸ケーブル９と、結束材８とを備えている。
【００４７】
丸ケーブル９は、線状の導体からなる１本の芯線と、絶縁材料からなり一本の芯線を内包する絶縁被覆とを備え、概ね円柱状に形成された一般的な絶縁電線である。丸ケーブル９各々の幅（直径）は、樋状ケーブル１０の幅よりも小さい。即ち、ワイヤハーネス１において束ねられた複数の絶縁電線のうち、最も幅の広い絶縁電線が樋状ケーブル１０である。
【００４８】
結束材８は、粘着テープ又は結束ベルトなどである。ワイヤハーネス１において、結束材８は、複数の丸ケーブル９が樋状ケーブル１０における凹側被覆部３１に対向する状態で、樋状ケーブル１０と丸ケーブル９とを束ねている。
【００４９】
＜効果＞
樋状ケーブル１０において、凹側被覆部３１の表面（第一表面３１１）は、幅方向（第２方向）において湾曲する凹面をなしている。即ち、樋状ケーブル１０は、樋状に形成されており、凹側被覆部３１は、丸ケーブル９などの他の絶縁電線の配線空間となる溝を形成している。
【００５０】
従って、樋状ケーブル１０よりも幅の狭い丸ケーブル９が、凹側被覆部３１に対向する状態、即ち、凹側被覆部３１が形成する溝内に配置された状態で、樋状ケーブル１０と丸ケーブル９とが束ねられた場合、丸ケーブル９は、凹側被覆部３１により形成される溝（配線空間）の中に安定的に収まりやすい。
【００５１】
即ち、従来のフラットケーブルと丸ケーブルとが束ねられる場合とは異なり、丸ケーブル９は、凹側被覆部３１の第一表面３１１上を滑って凹側被覆部３１の外側へはみ出しにくく、樋状ケーブル１０と丸ケーブル９との位置関係が安定する。従って、樋状ケーブル１０が採用されることにより、従来のフラットケーブルが採用される場合よりも、樋状ケーブル１０と丸ケーブル９との結束に要する作業が容易である。
【００５２】
さらに、結束された樋状ケーブル１０及び丸ケーブル９、即ち、ワイヤハーネス１に外力が加わった場合でも、結束状態が乱れたり解けたりする事態が生じにくい。即ち、樋状ケーブル１０及び１つ以上の丸ケーブル９の結束状態が安定したワイヤハーネス１が得られる。
【００５３】
また、樋状ケーブル１０において、複数の導体２は、湾曲絶縁被覆３により、第１湾曲面Ｆ１に沿って並列する状態で保持されている。そのため、樋状ケーブル１０は、従来のフラットケーブルと同様に、丸ケーブル９よりも、導体２の総断面積に対する総表面積の比が大きく放熱性に優れている。
【００５４】
また、樋状ケーブル１０において、凸側被覆部３２は、凹側被覆部３１よりも大きな厚みで形成されている。即ち、凹側被覆部３１は、導体２を電気的に絶縁するために必要な厚みで形成され、凸側被覆部３２は、導体２を電気的に絶縁するとともに、凹側被覆部３１に対向して配置される丸ケーブル９を保護するために必要な、比較的大きな厚みで形成されている。
【００５５】
従って、樋状ケーブル１０よりも幅の狭い丸ケーブル９が凹側被覆部３１に対向する状態で、樋状ケーブル１０と丸ケーブル９とが束ねられた場合、樋状ケーブル１０の導体２及び丸ケーブル９は、厚みの大きな凸側被覆部３２により保護される。即ち、束ねられる樋状ケーブル１０及び丸ケーブル９の保護のために、別部材である保護具及びその保護具を固定する作業は不要である。
【００５６】
以上に示したことから、樋状ケーブル１０が採用されることにより、放熱性に優れ、丸ケーブル９などの他の絶縁電線との結束及び電線保護の機能の付加に要する作業工数及び部品点数を軽減できる。
【００５７】
また、樋状ケーブル１０において、凹側被覆部３１の表面（第一表面３１１）及び凸側被覆部３２の表面（第二表面３２１）の各々に、第１方向に沿う複数の溝３１２，３２２が形成されている。そのため、湾曲絶縁被覆３は、複数の溝３１２，３２２各々の幅が僅かに伸縮することにより、幅方向（第２方向）において比較的大きく撓むことが可能である。
【００５８】
従って、樋状ケーブル１０は、一緒に結束される複数の丸ケーブル９全体の外形に応じて、凹側被覆部３１により形成される湾曲面（凹面）の曲率の調整が可能となる。その結果、樋状ケーブル１０と複数の丸ケーブル９全体との密着度合いがより高まり、樋状ケーブル１０及び複数の丸ケーブル９の結束状態がより安定したワイヤハーネス１が得られる。
【００５９】
＜第２実施形態に係るワイヤハーネス＞
次に、図４を参照しつつ、本発明の第２実施形態に係るワイヤハーネス１Ａについて説明する。このワイヤハーネス１Ａは、図３に示されたワイヤハーネス１と比較して、樋状ケーブル１０が追加された構成を有している。図４において、図１から図３に示される構成要素と同じ構成要素は、同じ参照符号が付されている。以下、ワイヤハーネス１Ａにおけるワイヤハーネス１と異なる点についてのみ説明する。
【００６０】
ワイヤハーネス１Ａが備える複数の絶縁電線は、２つの樋状ケーブル１０と１本以上の丸ケーブル９とを含む。図４に示される例では、ワイヤハーネス１Ａは、１２本の丸ケーブル９を備えている。
【００６１】
そして、ワイヤハーネス１において、結束材８は、丸ケーブル９が２つの樋状ケーブル１０各々の凹側被覆部３１に挟み込まれる状態で、２つの樋状ケーブル１０と１つ以上の丸ケーブル９とを束ねている。
【００６２】
＜効果＞
ワイヤハーネス１Ａにおいては、丸ケーブル９は、対向する２つの凹側被覆部３１の間に形成される配線空間に安定的に収まりやすい。その結果、２つの樋状ケーブル１０と１つ以上の丸ケーブル９との結束に要する作業が容易となる。
【００６３】
さらに、２つの樋状ケーブル１０と１つ以上の丸ケーブル９全体との密着度合いが高く、２つの樋状ケーブル１０及び１つ以上の丸ケーブル９の結束状態がより安定したワイヤハーネス１Ａが得られる。
【００６４】
＜その他＞
以上に示された各実施形態においては、樋状ケーブル１０と一緒に結束される他の絶縁電線は、複数の丸ケーブル９である。しかしながら、樋状ケーブル１０と一緒に結束される他の絶縁電線が、樋状ケーブル１０よりも幅の狭い１本の丸ケーブル９であることも考えられる。また、樋状ケーブル１０と一緒に結束される他の絶縁電線が、樋状ケーブル１０よりも幅の狭い１本以上のフラットケーブルを含むことも考えられる。
【００６５】
また、樋状ケーブル１０において、溝３１２，３２２のない凹側被覆部３１及び凸側被覆部３２が採用されることも考えられる。
【符号の説明】
【００６６】
１，１Ａ  ワイヤハーネス
２  導体
３  湾曲絶縁被覆
８  結束材
９  丸ケーブル（第２の絶縁電線）
１０  樋状ケーブル（第１の絶縁電線）
３１  凹側被覆部
３２  凸側被覆部
３１１  第一表面
３１２，３２２  溝
３２１  第二表面
【図１】
2013037801.tif 000003
【図２】
2013037801.tif 000004
【図３】
2013037801.tif 000005
【図４】
2013037801.tif 000006